(57)【特許請求の範囲】
【請求項１】
車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、
ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、
前記嵌合係止部は、軸部と該軸部から半径方向に突出する頭部とを有し、
前記嵌合被係止部は、該嵌合被係止部の外周面に軸線方向に開口し、該開口部は軸線に直角な方向から前記頭部及び前記軸部がそれぞれ挿入される頭部係入溝及び軸部係入溝を有し、
前記外れ止め部材は、前記頭部及び前記軸部が前記嵌合被係止部に挿入された状態で、該嵌合被係止部に外嵌されて前記伝達部材の半径方向の外れを防止する環状部材であり、
前記嵌合被係止部に対して前記嵌合係止部が前記軸部の軸線を中心に回動可能であることを特徴とする車両用ロックノブ機構。
【請求項２】
請求項１において、互いに嵌合される前記嵌合係止部と前記嵌合被係止部との間に所定範囲で間隙を設け、前記嵌合係止部が前記嵌合被係止部に遊嵌されていることを特徴とする車両用ロックノブ機構。
【請求項３】
車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、
ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、
互いに嵌合される前記嵌合係止部と前記嵌合被係止部との間に所定範囲で間隙を設け、前記嵌合係止部が前記嵌合被係止部に遊嵌されていることを特徴とする車両用ロックノブ機構。
【請求項４】
請求項１乃至３のいずれか１項において、前記外れ止め部材は、柔軟弾性材料からなり、ロックノブがスライドする際に生じる前記ベース部材との接触音を防止する機能を備えたことを特徴とする車両用ロックノブ機構。
【請求項５】
車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、
ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、
前記外れ止め部材は、柔軟弾性材料からなり、ロックノブがスライドする際に生じる前記ベース部材との接触音を防止する機能を備えたことを特徴とする車両用ロックノブ機構。
【請求項６】
請求項１乃至５のいずれか１項において、前記伝達部材はキーシリンダレバーに連結されていることを特徴とする車両用ロックノブ機構。
【請求項７】
車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、
ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、
前記伝達部材はキーシリンダレバーに連結されていることを特徴とする車両用ロックノブ機構。
【発明の詳細な説明】
【技術分野】
【０００１】
本発明は、ドアがオープンハンドルの操作では開かないように室内側からドアロックを操作する車両用ロックノブ機構に関する。
【背景技術】
【０００２】
車両に使われるドアにおいて、オープンハンドルの操作で外側からドアが開かないようにドアロックを操作するロックノブとして、例えば特許文献１のようなものが知られている。これは特許文献１における図３に示すように、ハンドルベース９２にはロックノブ６２がスライド可能に支持され、ロックノブ６２はロッド６２ａを介して出力レバー５１に連結されている。出力レバー５１は一体に形成されたピン部５１ａによりロッキングレバー４４に形成された長穴４４ｂを介してロッキングレバー４４に連結されている。このロッキングレバー４４を回動させることによって、オープンレバーを操作してもドアが開かないロック状態を実現する。
【特許文献１】特開２００１−１８２４０３号公報（第７頁、図３）
【発明の開示】
【発明が解決しようとする課題】
【０００３】
上記従来装置では、図５に示すように、ロックノブ５１とロッド５３との連結を、ロックノブ５１の端部に螺設された雌ねじ部５１ａにロッド５３の一端に螺設された雄ねじ部５３ａを螺入することによっておこなっていた。このため、生産においては、ロックノブ５１とロッド５３の組付けに手間がかかっていた。また図６に示すように、ロックノブ５１は図略のインサイドハンドルとともにベース部材５５が車両の室内側のインサイドパネル（図略）に組付けられるのに対し、ロック状態を実現するロッキングレバー５７は図略のアウトサイドハンドルとともにアウトサイドパネル（図略）に組付けられるものである。このように車両の内外のパネルにそれぞれ組み付けられるため、ロックノブ５１の取付け位置とロッキングレバー５７の取付け位置との間の相対的な位置関係にばらつきが生じやすい。一方、ロックノブ５１とロッド５３とはねじ部５１ａ,５３ａによって、しっかりと連結されて余裕がないため、前記位置関係のばらつきによってロッド５３とロッキングレバー５７との連結が困難となる場合があり、連結しても正常な位置よりも曲がったり外れたりしているため、該連結によってひずみを生じ、このひずんだ力によってロックノブ５１の摺動に抵抗が生じてロックノブ５１がスムーズに操作できない場合があった。
【０００４】
本発明は係る従来の問題点に鑑みてなされたものであり、生産上においてロックノブとロッドの組付けが容易にでき、ドアに組付けられたときに常にスムーズな操作性を確保することが可能な車両用ロックノブ機構を提供することである。
【課題を解決するための手段】
【０００５】
上述した課題を解決するために、請求項１に係る発明の特徴は、車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、前記嵌合係止部は、軸部と該軸部から半径方向に突出する頭部とを有し、前記嵌合被係止部は、該嵌合被係止部の外周面に軸線方向に開口し、該開口部は軸線に直角な方向から前記頭部及び前記軸部がそれぞれ挿入される頭部係入溝及び軸部係入溝を有し、前記外れ止め部材は、前記頭部及び前記軸部が前記嵌合被係止部に挿入された状態で、該嵌合被係止部に外嵌されて前記伝達部材の半径方向の外れを防止する環状部材であり、前記嵌合被係止部に対して前記嵌合係止部が前記軸部の軸線を中心に回動可能であることである。
【０００６】
請求項２に係る発明の特徴は、請求項１において、互いに嵌合される前記嵌合係止部と前記嵌合被係止部との間に所定範囲で間隙を設け、前記嵌合係止部が前記嵌合被係止部に遊嵌されていることである。
請求項３に係る発明の特徴は、車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、互いに嵌合される前記嵌合係止部と前記嵌合被係止部との間に所定範囲で間隙を設け、前記嵌合係止部が前記嵌合被係止部に遊嵌されていることである。
【０００７】
請求項４に係る発明の特徴は、請求項１乃至３のいずれか１項において、前記外れ止め部材は、柔軟弾性材料からなり、ロックノブがスライドする際に生じる前記ベース部材との接触音を防止する機能を備えたことである。
請求項５に係る発明の特徴は、車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、前記外れ止め部材は、柔軟弾性材料からなり、ロックノブがスライドする際に生じる前記ベース部材との接触音を防止する機能を備えたことである。
【０００８】
請求項６に係る発明の特徴は、請求項１乃至５のいずれか１項において、前記伝達部材はキーシリンダレバーに連結されていることである。
請求項７に係る発明の特徴は、車内側に組み付けられたベース部材にスライド操作可能に設けられたロックノブと、該ロックノブに連結されてロックノブの運動をドアロック機構に伝達して該ドアロック機構をロック状態にする伝達部材とを備えたロックノブ機構において、ロックノブに設けられた嵌合被係止部と、伝達部材の先端部に設けられ該嵌合被係止部に嵌合する嵌合係止部と、前記嵌合被係止部に前記嵌合係止部が嵌合された状態が外れないように維持する外れ止め部材とを備え、前記伝達部材はキーシリンダレバーに連結されていることである。
【発明の効果】
【００１０】
請求項１に係る発明においては、伝達部材に設けられた嵌合係止部の頭部及び軸部は、ロックノブに設けられた嵌合被係止部の軸線に直角な方向から開口部に挿入される。これによって、ロックノブと伝達部材とが嵌合によって組付けられる。また、嵌合係止部の頭部は軸部よりも半径方向に突出しており嵌合被係止部の軸部係入溝を通過できないので、伝達部材がロックノブから軸線方向に外れることが防止される。そして、前記嵌合係止部は前記嵌合被係止部に対して回動可能に嵌合されているので、伝達部材とロックノブとの嵌合箇所における自由度が確保される。そして、嵌合係止部の頭部及び軸部が嵌合被係止部に挿入された状態で、嵌合被係止部が環状部材によって外嵌されるので、伝達部材が半径方向に外れることが防止され、ロックノブと伝達部材との組付け状態が維持される。このような簡単な構造でロックノブと伝達部材とを機能的に連結することができる。
このように、ロックノブと伝達部材とを嵌合によって組付けるので、従来のねじ込み式で組付けるのに比べて容易かつ速やかに組付けることができる。これによって、生産性を向上させて生産コストを削減することが可能となる。
【００１１】
請求項２に係る発明においては、前記嵌合係止部と前記嵌合被係止部との間に間隙を設けることによって、伝達部材とロックノブとの組付け箇所における自由度を向上させ、ドアロック機構と伝達部材とを容易に連結できるとともに、ロックノブのスムーズな操作性を確保することができる。
請求項３に係る発明においては、ロックノブと伝達部材とが嵌合によって組付けられ、この組付け状態が外れ止め部材によって維持される。このように、ロックノブと伝達部材とを嵌合によって組付けるので、従来のねじ込み式で組付けるのに比べて容易かつ速やかに組付けることができる。これによって、生産性を向上させて生産コストを削減することが可能となる。
そして、前記嵌合係止部と前記嵌合被係止部との間に間隙を設けることによって、伝達部材とロックノブとの組付け箇所における自由度を向上させ、ドアロック機構と伝達部材とを容易に連結できるとともに、ロックノブのスムーズな操作性を確保することができる。
【００１２】
請求項４に係る発明においては、ロックノブを操作するときにベース部材とロックノブとの接触で生じる音の発生を、柔軟弾性材料からなる外れ止め部材により防止することができる。
請求項５に係る発明においては、ロックノブと伝達部材とが嵌合によって組付けられ、この組付け状態が外れ止め部材によって維持される。このように、ロックノブと伝達部材とを嵌合によって組付けるので、従来のねじ込み式で組付けるのに比べて容易かつ速やかに組付けることができる。これによって、生産性を向上させて生産コストを削減することが可能となる。
そして、ロックノブを操作するときにベース部材とロックノブとの接触で生じる音の発生を、柔軟弾性材料からなる外れ止め部材により防止することができる。
【００１３】
請求項６に係る発明においては、キーにより施錠状態（ロック状態）を生じさせるキーシリンダレバーをロックノブで操作することにより、ドアロック機構にロック状態又はアンロック状態を実現する。このように、あらたな機構等を加えることなく既存の機構を利用して、ロックノブと伝達部材の組付けが容易にでき、ドアに組付けられたときに常にスムーズな操作性を確保することが可能となる。
請求項７に係る発明においては、ロックノブと伝達部材とが嵌合によって組付けられ、この組付け状態が外れ止め部材によって維持される。このように、ロックノブと伝達部材とを嵌合によって組付けるので、従来のねじ込み式で組付けるのに比べて容易かつ速やかに組付けることができる。これによって、生産性を向上させて生産コストを削減することが可能となる。
そして、キーにより施錠状態（ロック状態）を生じさせるキーシリンダレバーをロックノブで操作することにより、ドアロック機構にロック状態又はアンロック状態を実現する。このように、あらたな機構等を加えることなく既存の機構を利用して、ロックノブと伝達部材の組付けが容易にでき、ドアに組付けられたときに常にスムーズな操作性を確保することが可能となる。
【発明を実施するための最良の形態】
【００１５】
本発明に係る車両用ロックノブ機構の実施形態を図面に基づいて以下に説明する。図１はベース部材にロックノブ機構が組み付けられた状態を示す裏面図であり、図２は同上面図である。
【００１６】
ロックノブ機構１はロックノブ３と伝達部材としてのロッド５と外れ止め部材としての環状部材７とから構成される。インサイドパネル（図略）の車内側にはドアロック機構ＤＬを操作するインサイドドアハンドル９が組み付けられた矩形状のベース部材１１が設けられ、ベース部材１１の端部にはロックノブ３がベース部材１１の短か手方向にスライド可能に設けられている。ロックノブ３は、図３及び図４に示すように、かまぼこ形状のつまみ部１３と、ベース部材１１に対向して設けられた一対のガイド部１１ａに沿って摺動する摺動頚部１５と、抜け止め鍔部１７と、円柱状の嵌合被係止部１９とからなっている。
【００１７】
嵌合被係止部１９はその円柱状の側面に開口部１９ａが設けられ、開口部１９ａには、前記ロッド５の後述する軸部としての基準軸部が通過可能に設けられた軸部係入溝１９ｂと、ロッド５の後述する頭部が通過可能に設けられた頭部係入溝１９ｃとが形成されている。
【００１８】
ロッド５は、基準軸部５ａと、該基準軸部５ａから折曲された保持部５ｂと、該保持部５ｂからわずかに折曲された腕部５ｃと該腕部５ｃの先端が略直角に折曲されて形成された連結掛止部５ｄとから形成される。前記基準軸部５ａの先端には円板状の頭部５ｅが形成され、頭部５ｅ及び基準軸部５ａが前記嵌合被係止部１９に嵌合された場合、基準軸部５ａの軸線回りに保持部５ｂ・腕部５ｃ・連結掛止部５ｄが回動可能になっている。また、頭部５ｅ及び基準軸部５ａと嵌合被係止部１９の内壁との間には隙間が設けられ、頭部５ｅ及び基準軸部５ａが嵌合被係止部１９に遊嵌された状態になっている。連結掛止部５ｄは図略のキーシリンダレバーに回動可能に軸承されている。保持部５ｂにはカウンタウエイト２０が設けられ、このカウンタウエイト２０によって車両の衝突等による衝撃が生じた際に、キーシリンダレバー（図略）が該衝撃によって動いてドアロック機構ＤＬがロック状態に誤作動するのが防止される。ロックノブ３の嵌合被係止部１９には前記環状部材７が外嵌され、この環状部材７によって嵌合係止部（頭部）５ｅの外れ落ちが防止されて嵌合状態が維持されるようになっている。この環状部材７はゴム製よりなり、その柔軟性及び弾力性によってベース部材１１との接触による音の発生が防止されるようになっている。
【００１９】
次に、上記のように構成した車両用ロックノブ機構の生産上における組付け方法及び作動について図面に基づき以下に説明する。まず車両用ロックノブ機構を組付けるには、図４に示すように、ロックノブ３の嵌合被係止部１９に、円柱状の嵌合被係止部１９の半径方向からロッド５の頭部５ｅを接近させて嵌合させる。次に環状部材７を嵌合被係止部１９に外嵌する。この際、頭部１５ｅはロッド５の径（基準軸部５ａの径）より大きいので軸部係入溝１９ｂを通過することができず、ロックノブ３に対するロッド５の軸線方向の外れが防止される。環状部材７によってロックノブ３に対するロッド５の半径方向の外れが防止される。また、ロッド５の頭部５ｅは嵌合被係止部１９に対して回動可能にかつ隙間を設けて係合されているので、ロックノブ３に対してロッド５は所定の遊動をする。この遊動によって、ロッド５をキーシリンダレバーに連結することが容易におこなうことができる。そして、ロッド５がキーシリンダレバーに連結され、ロックノブ３とシリンダキーレバーとの取付け位置の相対的なばらつきより、ロッド５が余計に引っ張られたり、捻られたりしても、このような歪んだ力が直接ロックノブ３には伝わらず。ロックノブ３のスライド作動に抵抗が生じるのを防止することができる。
【００２０】
なお、本実施形態においては、伝達部材はキーシリンダレバーに連結するものとしたが、これに限定されず、例えば複数のドアロック機構にハンドルの作動を一度に伝えるリモート装置のロッキングレバーに連結してもよい。
【００２１】
また、外れ止め部材としての環状部材はゴム製のものとしたが、これに限定されず、例えば柔軟性がありかつ弾力性を有する各種合成樹脂材を使用することができる。また、柔軟性及び弾力性のない金属製でもよく、環状部材が外れないように嵌合被係止部に接着剤で接着してもよい。
【図面の簡単な説明】
【００２２】
【図１】本発明に係るロックノブ機構の裏面図。
【図２】同上面図。
【図３】図２のＡ−Ａ断面図。
【図４】ドアロック機構の組立て図。
【図５】従来例のロックノブ機構の断面図
【図６】従来例において、キーシリンダレバーとの関係を示す図。
【符号の説明】
【００２３】
１…ロックノブ機構、３…ロックノブ、５…ロッド（伝達部材）、５ａ…基準軸部（軸部、嵌合係止部）、５ｅ…頭部（嵌合係止部）、７…環状部材（外れ止め部材）、１１…ベース部材、１９…嵌合被係止部、１９ａ…開口部、１９ｂ…軸部係入溝、１９ｃ…頭部係入溝。
【図１】
0004720404.tif 000002
【図２】
0004720404.tif 000003
【図３】
0004720404.tif 000004
【図４】
0004720404.tif 000005
【図５】
0004720404.tif 000006
【図６】
0004720404.tif 000007